(57)【要約】【課題】組合せの安定性、便利性、適用性、掛ける快適性を持たせることができる付加型眼鏡フレームを提供する。【解決手段】フレーム１がある。フレーム１は、レンズを嵌め入れるための空間１１を有し、フレーム１の外側に外へ突出して伸びるようにたわみを有する寄り当て部１２が設けられている。寄り当て部１２の少なくとも一つの端部１２１がフレーム１の外側と連結しており、寄り当て部１２とフレーム１の外側には動作可能な間隔１２２がある。それによって、フレーム１を眼鏡本体のリム内に置くことが可能であり、寄り当て部１２を眼鏡本体のリムのサイズに対応して内へ圧縮可能にし、押し返す力によって眼鏡本体のリムの内壁に押し当てて定位が可能である。【選択図】図１
0003133220.tif 000002
【実用新案登録請求の範囲】
【請求項１】
フレームがあり、
フレームにレンズを嵌め入れるための空間を有し、フレームの外側において外へ突出して伸びるようにたわみを有する寄り当て部が設けられ、
前記寄り当て部の少なくとも一つの端部がフレームの外側と連結しており、寄り当て部とフレームの外側に動作可能な間隔を持たせ、フレームを眼鏡本体のリム内に置くことが可能であり、
寄り当て部を眼鏡本体のリムのサイズに対応して内へ圧縮可能にし、押し返す力によって眼鏡本体のリムの内壁に寄り当てて定位可能であることを特徴とする付加型眼鏡フレーム。
【請求項２】
寄り当て部は、フレームの湾曲に対応する弧形であることを特徴とする請求項１記載の付加型眼鏡フレーム。
【請求項３】
寄り当て部は、各々フレームの上下方向に対応する位置に設置可能であることを特徴とする請求項１または請求項２に記載の付加型眼鏡フレーム。
【請求項４】
寄り当て部の外側に滑り止めの突起が設けられていることを特徴とする請求項１記載の付加型眼鏡フレーム。
【請求項５】
寄り当て部とフレームとの間に更に寄り当て部の押し返す力を高めるための連結片を設置可能であることを特徴とする請求項１記載の付加型眼鏡フレーム。
【考案の詳細な説明】
【技術分野】
【０００１】
本考案は、付加型眼鏡フレームの構造に関する。
【背景技術】
【０００２】
従来の眼鏡は、型式が多種あり、スポーツ眼鏡については、図５と図６に示したように、一般に、リム１’、レンズ２’及び頭部と接合できる接合パーツ３’（例えば、ヘッドバンド或いは耳あて）を有し、前記リム１’の中央部に空間１１’を有し、空間１１’の上方には適当な厚さを持つリング縁１１１’を有し、又、前記空間１１’の前方に嵌め溝１２’を設け、又、リム１’の後方にパッド１３’を接合して、又、前記レンズ２’とは透かして見られる材質であり、且つ端部をリム１’の嵌め溝１１’内に嵌め入れてリム１’と組み合わせており、又、接合体３’はリム１’と接合しており、且つリム１’を人間の顔部に掛けることができるようにする。
【０００３】
前記のレンズ２’は一般に度数が付いていないため、近視、遠視、乱視などの視力矯正の必要のある使用者はスポーツ眼鏡を掛ける場合、必ず度数のついた眼鏡４’を先に掛けてから、スポーツ眼鏡を掛けるゆえ、使用者は不快に感じたり、掛けたまま接合パーツ３’が度数のついた眼鏡４’の耳あてに圧迫をかけて、不便をもたらし欠点となる。
又、目下、その他に、眼鏡本体に付加できる眼鏡の設計があり、例えば、磁力によって度数のついた眼鏡を眼鏡本体につけることだが、この場合は、磁力の吸付け力の不足のため、外力からの衝撃によって付加えた眼鏡が脱落し、安定性がよくない欠点を有する。又、前記度数のついた眼鏡及び眼鏡本体は対応する位置すべてに磁力パーツを設置する必要があるため、度数のついた眼鏡が対応する眼鏡本体と対応してから初めて組み合わせることができるので、適用性がよくないという欠点を有するのである。
【考案の開示】
【考案が解決しようとする課題】
【０００４】
本考案の目的は、付加型眼鏡を眼鏡本体に設けて、組合せの安定性、便利性、適用性、掛ける快適性をもたせることにある。
【課題を解決するための手段】
【０００５】
本考案の付加型眼鏡フレームには、フレームがあり、フレームにレンズを嵌め入れるための空間を有し、又、フレームの外側において外へ突出して伸びるようにたわみを有する寄り当て部を幾つか設けた。
【考案の効果】
【０００６】
前記寄り当て部は大体フレームの湾曲に対応する弧形であり、且つ少なくとも一つの端部がフレームの外側と連結しており、各々フレームの上下方向に対応する位置に設置できる。そして、寄り当て部とフレームの外側に動作間隔を持たせ、又、寄り当て部の外側に滑り止めの突起を設け、寄り当て部とフレームとの間に更に寄り当て部の押し返す力を高めるための連結片を設置できる。それによって、フレームを眼鏡本体のリム内に置くことができ、且つ寄り当て部を眼鏡本体のリムに対応して内へ圧縮できるようにし、押し返す力によって眼鏡本体のリムの内壁に寄り当てて定位できるため、よりよい便利性を持つようになる。且つ前記滑り止めの突起によってフレームの左右への移動を防止できるため、よりよい安定性を持ち、又、前記付加型眼鏡フリームは寄り当て部の内側への押し返す力によって眼鏡本体と組み合わせることができるので、前記寄り当て部の縮む距離が眼鏡本体のリムのサイズに合ったら、組立てることができ、より優れた適用性を持つことになる。且つ前記付加型眼鏡フレームには人体の頭部と接合するための他の組立部品がないため、より優れた快適性を持つのである。
【考案を実施するための最良の形態】
【０００７】
図１を参考にする。本考案の一実施例による付加型眼鏡フレームには、フレーム１があり、フレーム１にレンズ２（図２と図３に示したように）を嵌め入れるための空間１１を有し、前記レンズ２は度数が付いた光学レンズ或いはサングラスレンズであってもよいものである。又、フレーム１の外側において外へ突出して伸びるようにたわみを有する寄り当て部１２を設け、そして、前記寄り当て部１２は大体フレーム１の湾曲に対応する弧形である。少なくとも一つの端部１２１がフレーム１の外側と連結しており、且つ各々フレーム１の上下方向に対応する位置に設置され、寄り当て部１２とフレーム１の外側に動作可能な間隔１２２を持たせる。又、寄り当て部１２の外側に滑り止めの突起１２３を設け、寄り当て部１２とフレーム１との間に更に寄り当て部１２の押し返す力を高めるための連結片１２４を設置する。
【０００８】
図２から図４を参考にする。本実施例は、スキー用のゴーグル或いはその他の眼鏡に設置でき、且つ付加型眼鏡フレームのフレーム１を眼鏡本体３のリム３１内に置くようにすることができる。寄り当て部１２を眼鏡本体３のリム３１のサイズに対応して内へ圧縮できるようにし、そして、押し返す力によって眼鏡本体３のリム３１の内壁３１１に接して定位できるため、より優れた便利性がある。且つ前記滑り止めの突起１２３によって付加型眼鏡フレームのフレーム１が左右へ移動するのを防止できるため、よりよい安定性がある。又、前記付加型眼鏡フレームのフレーム１は寄り当て部１２が内へ圧縮することによって眼鏡本体３と組み合わせることができるため、前記寄り当て部１２の内へ縮む距離が眼鏡本体３のリム３１のサイズに合うことで組立てることができるため、より優れた適用性をもつことになり、且つ前記付加型眼鏡フレームには人体の頭部と接合するための他の組立部品がないため、より優れた快適性を持つことになる。
前記実施例は本考案の例示であり、そして、本考案の寄り当て部とは必ずしもフレームの上下方に対応する位置に設置することではなく、二つの端部をフレームに接合させることでもよいのであり、本考案の精神によってなされた効果が同じ変更も本考案の請求する範囲内に属されるべきである。
【図面の簡単な説明】
【０００９】
【図１】本考案の一実施例による付加型眼鏡フレームを示す斜視図である。
【図２】本考案の一実施例による付加型眼鏡フレームの眼鏡主体との組合せを示す斜視図である。
【図３】本考案の一実施例による付加型眼鏡フレームの寄り当て部が内へ縮む動作を示す模式図である。
【図４】本考案の一実施例による付加型眼鏡フレームの掛ける状態を示す断面図である。
【図５】従来のスポーツ眼鏡、度数のついた眼鏡を掛ける状態を示す斜視図である。
【図６】従来のスポーツ眼鏡、度数のついた眼鏡を掛ける状態を示す断面図である。
【符号の説明】
【００１０】
１：フレーム、２：レンズ、３：眼鏡本体、１１：空間、１２：寄り当て部、３１：リム、１２１：端部、１２２：間隔、１２３：突起、１２４：連結片、３１１：内壁
【図１】
0003133220.tif 000003
【図２】
0003133220.tif 000004
【図３】
0003133220.tif 000005
【図４】
0003133220.tif 000006
【図５】
0003133220.tif 000007
【図６】
0003133220.tif 000008